(57)【要約】【課題】便器の種類や姿勢、体格に関らず、トイレ使用時に感じる臭気を、簡易な設備と設置により減ずる。【解決手段】トイレ室内に送風機を設置して、その送風を用便者の臀部から頭の範囲内の高さの全て或は一部に当たるようにして、その吸気は臭気の発生源や送風機の送風からも遠ざけ、或はトイレ吸気口からの室外の空気を使う。送風機の風には、芳香消臭剤の使用で効果が増す。【選択図】図１
2018119263.tif 000002
【特許請求の範囲】
【請求項１】
トイレ室内の便器正面又は便器横の壁又はドアに送風機を設置し、該送風機の送風が用便者の臀部から頭の範囲内の高さの全て或は一部に当たるようにする事で便器の種類や該用便者の体格や姿勢に関らず該用便者の鼻への臭気を減じ、該送風機の吸気は、臭気の発生源及び又は該送風機の送風から遠ざけるように、或は該トイレ室の吸気の方向から吸気するようにした、トイレ臭気対策装置。
【請求項２】
トイレ室内の便器正面又は便器横の壁又はドアに送風機と芳香消臭剤を設置し、該送風機の送風が用便者の臀部から頭の範囲内の高さの全て或は一部に当たるようにする事で便器の種類や該用便者の体格や姿勢に関らず該用便者の鼻への臭気を減じ、該送風機の吸気は、臭気の発生源及び又は該送風機の送風から遠ざけるように、或は該トイレ室の吸気の方向から吸気するようにした、トイレ臭気対策装置。
【請求項３】
トイレ室内の換気用の吸気口に送風機を設置或は、該吸気口から吸引するように空気の通り道を形成して該トイレ室の壁又はドアに送風機を設置し、該送風機の送風が用便者の臀部から頭の範囲内の高さの全て或は一部に当たるようにする事で便器の種類や該用便者の体格や姿勢に関らず該用便者の鼻への臭気を減じた、トイレ臭気対策装置。
【請求項４】
トイレ室内の換気用の吸気口に送風機と芳香消臭剤を設置或は、該吸気口から吸引するように空気の通り道を形成して該トイレ室の壁又はドアに送風機と芳香消臭剤を設置し、該送風機の送風が用便者の臀部から頭の範囲内の高さの全て或は一部に当たるようにする事で便器の種類や該用便者の体格や姿勢に関らず該用便者の鼻への臭気を減じた、トイレ臭気対策装置。
【請求項５】
前記送風機又は前記送風機の空気の通路に、前記送風による用便者の体感温度の低下を補償する発熱装置を併設した請求項１乃至４のトイレ臭気対策装置。
【請求項６】
前記送風機は用便者がトイレ室の退出後も一定時間、間欠動作、臭気センサーの内の少なくとも一を使い動作する、請求項１乃至請求項５のトイレ臭気対策装置
【発明の詳細な説明】
【技術分野】
【０００１】
トイレ室内の壁或はドアに送風機を用便者に向けて設置し、排尿・排便時の鼻への臭気を便器の種類や用便者の体格や姿勢に関らず遮り、用便者が感じる臭気を減らす。
【背景技術】
【０００２】
従来、排尿・排便時の臭気対策はトイレのドア吸気口と離れた位置に設置した排気口による換気又は、換気窓の設置によるものであった。更には、便座付近での吸引・脱臭や、エアーカーテンによる方法、また洋式便器で座位の用便者の背後から斜め或は、頭上からの送風に吸引装置を使用して、等の発明がされて来た。
しかしトイレ室の吸気口から吸引して送風を利用且つ、トイレ室内への吸気もスムーズにさせ、或は便器の種類や用便者の体格や姿勢に関らず鼻への臭気を遮る万能で効果的且つ、簡易な設置で直接的な対策をするものが求められていた。
【先行技術文献】
【特許文献】
【０００３】
【特許文献１】特許公開２００５−１８００９２号公報
【特許文献２】特許公開２００９−５２２７６号公報
【特許文献３】特許公開平７−２６９９１８号公報
【特許文献４】特許公開平８−３０２７８８号公報
【発明の概要】
【発明が解決しようとする課題】
【０００４】
用便者が感じる臭気を、用便者に対して直接的な方法で効果的に、且つ簡易な設置により減らす。また男子小用の際の立ち昇る臭気や、便器の種類や用便者の体格や姿勢に関わらず効果を出す。更には、用便後のトイレ室の臭気にも対応する。或は、トイレ室内への吸気もスムーズにして換気を良くする。
【課題を解決するための手段】
【０００５】
送風機を壁かトイレドア或は吸気口に設置・貼り付けし、風向を用便者の臀部から頭の範囲内の高さの全て或は一部に当たるように向けるだけで良い。配線無しで電池駆動でも可能である。例えば、一般的なトイレに置いて、室内の吸気口或は下の方に１２センチ角厚さ３センチ程度の送風機を、送風機の下側を一例としては１０センチ程度離してセットすれば、風向は立位の小用者や便器の種類を問わずに、又体格にも関らず臀部から頭の範囲内の高さの全て或は一部に当たり、臭気を減じる。送風機と一緒に芳香消臭剤もセットする事で効果は上がる。
【０００６】
男子小用の立位の場合、送風は用便者の背後、臀部から頭の範囲内の高さの全て或は一部に当たる事で、体を迂回し体の前面に流れ込む空気の流れにより臭気は鼻に立ち上らず、実際に臭気は全く或は殆ど感じられない。
【０００７】
小用でない和式便器の使用に置いても同様に、送風は後方、背中から頭の範囲内に当たり、体を迂回し体の前面に流れ込む空気の流れにより鼻への臭気は減じる。洋式の場合は、腹部から顔の高さの範囲内に風が直接に向かい、鼻への臭気の立ち昇りを抑える。
【０００８】
用便者がトイレ室の退出後も一定時間、間欠動作、臭気センサーの内の少なくとも一を使い動作させる事で、より完全な臭気対策となる。
【０００９】
送風機又は送風機の空気の通路に、用便者の体感温度の低下を補償する発熱装置を併設すると寒い時期に尚良い。
【発明の効果】
【００１０】
送風機を壁やドアに貼り付け、風向を用便者の臀部から頭の範囲内の高さの全て或は一部に当たるようにセットするだけで、鼻への臭気が送風に遮られ用便の不快が失くなる。送風機の吸気はトイレ室の吸気口からの空気を利用するのが良いが、必要に応じて送風機に芳香消臭剤もセットする。
【００１１】
立位での小用のように上半身に沿って立ち昇る、対処が難しい臭気にも効果がある。
【００１２】
送風角度を用便者の臀部から頭の範囲内の高さの全て或は一部に当たるようにする事で、和洋の便器や用便者の体格や用便時の姿勢等に関らず対応できる。
【００１３】
トイレ室外の空気を直接吸引導入する場合には、本装置の送風は直接には感じ難い自然吸引の風とは比較にならない程臭気に対する効果を得られ、更にはトイレ室内への吸気量も増える効果も期待できる。また、トイレを使用しない時の通常の換気に置いても、送風機の羽の隙間により減る事はない。
【００１４】
吸気がトイレ室外からの空気であっても、芳香消臭剤の併用は、更に臭気を減じる。
【００１５】
用便者がトイレの退出後も一定時間、間欠動作、臭気センサーの内の少なくとも一を使い送風機を動作させる事で、用便後の臭気や取り切れない臭気にも対応ができ、トイレの快適さが増す。
【図面の簡単な説明】
【００１６】
【図１】（Ａ）トイレ全体の上面図（外部の吸気でない場合の実施例）、（Ｂ）本発明の正面図（実施例１）。尚、実施例全てに対して、臭い吸着剤や消臭・芳香剤等６もセットとした設置例として記載した。
【図２】（Ａ）トイレ全体の上面図（外部の吸気の場合の実施例）、（Ｂ）本発明の正面図、（Ｃ）本発明の正面図で送風機のみの実施例（実施例２）
【図３】トイレ全体の上面図。本発明を便器横の壁に設置した。（実施例３）
【図４】トイレ全体の上面図。本発明を便器正面の壁に設置した。（実施例４）
【図５】トイレ全体の側面図。床に段差のある和式トイレでの立位としゃがむ用便者と本発明の設置例。（実施例５）
【図６】トイレ全体の側面図。和式便器での立位としゃがむ用便者と本発明の設置例。（実施例６）
【図７】トイレ全体の側面図。洋式便器の立位と座位の用便者と本発明の設置例。（実施例７）
【図８】トイレ全体の側面図。洋式便器の立位と座位の用便者と本発明の設置例。（実施例８）
【図９】トイレ全体の側面図。和式便器の立位としゃがむ用便者と本発明の設置例。（実施例９）
【図１０】トイレ全体の側面図。洋式便器の立位と座位の用便者と本発明の設置例。（実施例１０）
【図１１】トイレ全体の側面図。小用専用便器を使用する体格の違う二名を記載した図。（実施例１１）
【発明を実施するための形態】
【実施例１】
【００１７】
図１（Ａ）はトイレ全体１の上面図で、トイレのドア２と本発明の隙間からの本発明の吸気１０ａは、臭気の発生場所から離れた位置且つ、送風機７の送風から離れた位置からである。その吸気１０ａから、臭い吸着剤や消臭・芳香剤等６を通せば臭気を減じる効果が増す。尚、本発明の取り付け位置・方法や吸気方法はこれに限定されるものでは無い。
図１（Ｂ）は本発明５の正面図の例で、送風機７の送風１０による用便者の体感温度を下げない対策のヒーター等の発熱装置１４を送風機７の前に設置した例。必要に応じて、ヒーター１４の角度調整で風向板も兼ねる事もできる。
電源コード４はトイレのドアの蝶番３方向から壁を這わせてトイレ内コンセントに挿し込む又は、トイレのドア下部やトイレのドア吸気口等の隙間からコードを出し外部コンセントに挿す又は、電池式にしてコードレスとする。更に、人感センサー９で用便者を検知し該送風機の自動動作も設置可能とする。
【実施例２】
【００１８】
図２（Ａ）はトイレ全体１の上面図で、本発明の吸気１０ａはトイレのドア２の吸気口又はトイレのドア下部の隙間からである。トイレのドア下部が吸気となっている場合は、本発明の下に空気導入部品１６を付けて吸気するか、本発明をトイレのドアの下方に設置して送風機７の角度を上に向ける又は風向板１１を使用する。又、臭い吸着剤や消臭・芳香剤等６を併用した場合は臭気を減じる効果が増す。尚、本発明の取り付け位置・方法や吸気方法はこれに限定されるものでは無い。
図２（Ｂ）は本発明５の正面図の例で、風向板１１を垂直と水平方向に設置した例で、図（Ｃ）も本発明５の正面図の例であるが、臭い吸着剤や消臭・芳香剤等６を設置しない実施例。夫々、送風機７の送風が確実に用便者へ向かうように、該送風機の吸気に不要なスペースを塞ぐシール１７を設置した例だが、トイレの排気能力が充分にある場合は不要の場合もある。
尚、本来のトイレ室外からの吸気への影響は、本発明の設置や本発明の使用・不使用に関わらず、送風機７のフィンの隙間があるので支障はでない。
電源コード４はトイレのドア２の蝶番３方向から壁を這わせてトイレ内コンセントに挿し込む又は、トイレのドア下部やトイレのドア吸気口等の隙間からコードを出し外部コンセントに挿す又は、電池式にしてコードレスとする。更に、人感センサー９で用便者を検知し該送風機の自動動作も設置可能とする。
【実施例３】
【００１９】
図３はトイレ全体１の上面図で、便器８横の壁に本発明５を設置した例。本発明の吸気１０ａは臭気の発生場所から離れた位置且つ、送風機７の送風から離れた位置からである。又、臭い吸着剤や消臭・芳香剤等６を併用した場合は臭気を減じる効果が増す。風向板１１を２枚使用し、風向きを上下左右夫々変えられる例。尚、本発明の取り付け位置・方法や吸気方法はこれに限定されるものでは無い。
【実施例４】
【００２０】
図４はトイレ全体１の上面図で、便器８正面の壁に本発明５を設置した例。本発明の吸気１０ａは臭気の発生場所から離れた位置且つ、送風機７の送風から離れた位置からである。又、臭い吸着剤や消臭・芳香剤等６を併用した場合は臭気を減じる効果が増す。風向板１１を使用した例。尚、本発明の取り付け位置・方法や吸気方法はこれに限定されるものでは無い。
便器８に吐出されている部分の本発明からの空気の流れ１０の幅は、この例では２０センチメートル程から、便器辺りでは４０センチメートル程の幅に広がっている。
【実施例５】
【００２１】
図５はトイレ全体１の側面図で、段差１５のある床に設置した和式の便器８での用便者１２や１８の立位としゃがむ姿勢に対して、本発明５をトイレのドア２の下方に設置し、本発明の吸気１０ａはトイレのドアの吸気口を使用した例であるが、本発明の取り付け位置・方法や吸気方法はこれに限定されるものでは無い。
用便者１２や１８に対して、トイレ室内側の空気の流れ１０の高さの幅は、この例では２０センチメートル程から、しゃがむ姿勢の所では４０センチメートル程である。
【実施例６】
【００２２】
図６はトイレ全体１の側面図で、和式の便器８での用便者１２や１８の立位としゃがむ姿勢に対して、本発明５をトイレのドア２の中央付近の高さに設置し、本発明の吸気１０ａは空気導入部品１６を通してトイレのドアの吸気口付近からの例であるが、トイレのドアの下部が吸気となっている場合でも同じような態様で対応出来る。尚、本発明の取り付け位置・方法や吸気方法はこれに限定されるものでは無い。
用便者１２や１８に対して、トイレ室内側の空気の流れ１０の高さの幅は、この例では３２センチメートル程である。
【実施例７】
【００２３】
図７はトイレ全体１の側面図で、洋式の便器８での用便者１２や１８の立位と座位の姿勢に対して本発明５をトイレのドア２の下方に垂直から角度を付けて設置し、本発明の吸気１０ａはトイレのドア２の吸気口を使用した例であるが、本発明の取り付け位置・方法や吸気方法はこれに限定されるものでは無い。
用便者１２や１８に対して、トイレ室内側の空気の流れ１０の高さの幅は、この例では２０センチメートル程である。
【実施例８】
【００２４】
図８はトイレ全体１の側面図で、洋式の便器８での用便者１２や１８の立位と座位の姿勢に対して本発明５をトイレのドア２の中央付近の高さに設置し、本発明の吸気１０ａはトイレ室内からの例であるが、本発明の取り付け位置・方法や吸気方法はこれに限定されるものでは無い。
た例である。
用便者１２や１８に対して、トイレ室内側の空気の流れ１０の高さの幅は、この例では３２センチメートル程である。
【実施例９】
【００２５】
図９はトイレ全体１の側面図で、和式の便器８での用便者１２や１８の立位としゃがむ姿勢。本発明５は便器の横の壁に設置した例であるが、本発明の取り付け位置・方法や吸気方法はこれに限定されるものでは無い。
用便者１２や１８に対して、送風機７の前に設置した風向板１１により、本発明５の送風機７の風向き１０を分ける又は、風向板によらずに送風機７の数を増やし夫々送風角度を変える事により、しゃがむ姿勢と立位での用便者の鼻への臭気を遮るように送る。本発明の吸気は空気導入部品１６を使用して、臭気の発生場所から離れた位置且つ、送風機７の送風から離れた位置からである。又、本発明の設置高が異なる場合は、本発明に角度を付けて設置又は、本発明の送風機のみ角度を付けて設置又は、風向板の追加をする。
【実施例１０】
【００２６】
図１０はトイレ全体１の側面図で、洋式の便器８での用便者１２や１８の立位と座位での姿勢。本発明５は便器の横の壁に設置した例であるが、本発明の取り付け位置・方法や吸気方法はこれに限定されるものでは無い。
用便者１２や１８に対して、送風機７の前に設置した風向板１１により、本発明５の送風機の風１０を分ける又は、風向板によらずに送風機７の数を増やし夫々送風角度を変える事により、座位と立位での用便者の鼻への臭気を遮るように送る。本発明の吸気は空気導入部品１６を使用して、臭気の発生場所から離れた位置且つ、該送風機の送風から離れた位置からである。又、本発明の設置高が異なる場合は、本発明に角度を付けて設置又は、本発明の送風機のみ角度を付けて設置又は、風向板の追加をする。
【実施例１１】
【００２７】
図１１は男子小用専用便器で体格の違う二名の用便者を記載した側面図である。体格に関わらず臭気の立ち昇りを、背後から体を迂回し体の前面に流れ込む空気により減じる。
【符号の説明】
【００２８】
１  トイレ全体
２  トイレのドア
３  トイレのドアの蝶番
４  本発明の電源コード
５  本発明の実施形態の例
６  芳香消臭剤等
７  本発明の送風機
８  便器
９  人感センサーの例
１０  本発明の空気の流れ
１０ａ  本発明の吸気
１１  風向板の例。風向きを変える。
１２  成人男性の平均身長、約１７１センチメートルの用便者。
１３  貯水タンク
１４  ヒーター等、送風による体感温度対策用の発熱装置
１５  床の段差
１６  空気導入部品
１７  送風機の吸気に不要なスペースを塞ぐシール
１８  ６歳の平均身長、約１１６センチメートルの用便者。
【図１】
2018119263.tif 000003
【図２】
2018119263.tif 000004
【図３】
2018119263.tif 000005
【図４】
2018119263.tif 000006
【図５】
2018119263.tif 000007
【図６】
2018119263.tif 000008
【図７】
2018119263.tif 000009
【図８】
2018119263.tif 000010
【図９】
2018119263.tif 000011
【図１０】
2018119263.tif 000012
【図１１】
2018119263.tif 000013